(57)【特許請求の範囲】
【請求項１】
ハウジングを備える摺動式知育玩具であって、前記ハウジングの２つの内側端において１つずつ固定される２つの固定パッド、前記２つの固定パッド間に位置付けられる可動パッド、前記２つの固定パッド及び前記可動パッドを通る接続シャフト構造、第１のブロック構造及び第２のブロック構造を更に備え；前記接続シャフト構造の一端は、前記ハウジングの一端から突き出し、前記ハウジングの軸方向に沿って移動でき、外力の作用下で前記ハウジングの径方向に沿って回転し、前記可動パッドは、前記接続シャフト構造の回転に伴って回転でき；プッシュパッドが、前記各固定パッドの側面に鉛直に配置され、前記接続シャフト構造にスリーブ接続されており、前記接続シャフト構造の移動に伴って対応する前記固定パッド上で移動でき；前記第１のブロック構造は、前記２つの固定パッド及び前記可動パッドの一方の側面に順に摺動可能に配置される少なくとも３つの密に隣接する第１のブロックを含み、前記少なくとも３つの第１のブロックは、前記２つの固定パッドの前記プッシュパッド間に挟まれ、２つの端にある前記第１のブロックは、対応する固定パッドの側面にそれぞれ位置付けられ、残りの前記第１のブロックは、前記可動パッドの側面に位置付けられ；前記第２のブロック構造は、前記可動パッドの底部に摺動可能に配置される少なくとも１つの第２のブロックを含み；第１の印が前記各少なくとも３つの第１のブロックに配置され、第２の印が前記少なくとも１つの第２のブロックに配置され；最大で２つのブロックを前記各固定パッドに配置できる、摺動式知育玩具。
【請求項２】
前記各固定パッド及び前記各可動パッドの側面には、前記ハウジングの前記軸方向に沿ってそれぞれ延在する第１の案内面及び第２の案内面があり、前記第１の案内面は前記第２の案内面に対応し、前記可動パッドの前記底部には、前記ハウジングの前記軸方向に沿って延在する第３の案内面があり；前記プッシュパッドは、前記接続シャフト構造の移動に伴って対応する前記固定パッド上で前記第１の案内面に沿って移動でき；前記少なくとも３つの第１のブロックは、前記２つの固定パッドの前記第１の案内面内及び前記可動パッドの前記第２の案内面内に摺動可能に配置され、２つの端にある前記第１のブロックは、対応する前記固定パッドの前記第１の案内面内にそれぞれ位置付けられ、残りの前記第１のブロックは、前記可動パッドの前記第２の案内面内に位置付けられ、前記少なくとも１つの第２のブロックは、前記第３の案内面内に摺動可能に配置され；最大でも２つのブロックを、前記各固定パッドの前記第１の案内面内に摺動可能に配置できる、請求項１に記載の摺動式知育玩具。
【請求項３】
前記ハウジング上には、前記第１のブロック構造に対応する視認窓がある、請求項１に記載の摺動式知育玩具。
【請求項４】
前記ハウジングは、一端が開口しているハウジング本体、前記ハウジング本体の開口端に接続されている端部カバー、及び、前記端部カバーにスリーブ接続されている端部カバーキャップを備え、前記ハウジング本体には、前記ハウジングの前記軸方向に沿って延在する切り欠き部があり、前記端部カバーキャップの一端は、前記切り欠き部に嵌め込まれて前記視認窓を形成する突出部分を有する、請求項３に記載の摺動式知育玩具。
【請求項５】
前記２つの固定パッドは、前記ハウジング本体の２つの内側端に１つずつそれぞれ固定され、前記ハウジング本体の前記開口端内に位置付けられる前記固定パッドは前記端部カバーに当接し；ガスケットが前記ハウジング本体の内側底部に配置され、前記ハウジング本体の前記内側底部に位置付けられる前記固定パッドは前記ガスケットに当接する、請求項４に記載の摺動式知育玩具。
【請求項６】
前記接続シャフト構造は、接続シャフト、及び、前記接続シャフトの一端に固定されるハンドルを備え、前記ハンドルの一端は前記ハウジングの一端から突き出し；留め位置が、前記接続シャフトの２つの端に設けられ、前記２つのプッシュパッドは、対応する前記留め位置にそれぞれスリーブ接続されている、請求項１に記載の摺動式知育玩具。
【請求項７】
前記接続シャフトの断面は三角形であり、前記可動パッドは、前記接続シャフトと協働する軸方向の三角形の貫通孔を有し、前記接続シャフトは、前記可動パッドが前記接続シャフト構造の回転に伴って回転できるように、前記三角形の貫通孔と協働する、請求項６に記載の摺動式知育玩具。
【請求項８】
前記接続シャフト構造を駆動して初期位置に自動的に戻す磁気的な自己位置合わせデバイスを更に備え；前記磁気的な自己位置合わせデバイスは第１の磁気ブロック及び第２の磁気ブロックを含み、前記第１の磁気ブロックは前記ハウジングの端部カバー内に取り付けられ、前記第２の磁気ブロックは、前記接続シャフト構造のハンドル内に取り付けられ、前記接続シャフト構造の前記接続シャフトに隣接する、請求項１に記載の摺動式知育玩具。
【請求項９】
前記第１の磁気ブロックは磁気ポールであり、前記第２の磁気ブロックは磁気ボールである、請求項８に記載の摺動式知育玩具。
【請求項１０】
前記各固定パッドは軸方向の貫通孔を有し、前記接続シャフト構造は前記貫通孔内にスリーブ接続されている、請求項２に記載の摺動式知育玩具。
【請求項１１】
前記各プッシュパッドは、接続部分、及び、前記接続部分の外周に形成される当接部分を含み、前記接続部分は前記接続シャフト構造にスリーブ接続されており、前記当接部分は、前記接続部分の外周に形成される第１の部分、及び、前記第１の部分の端に接続されている弧状の第２の部分を含み、前記固定パッドの上部は、前記貫通孔と連通する開口を有し、前記第１の部分は、前記開口から突き出し、前記第２の部分は、前記固定パッドの、前記第１の案内面に隣接する側の周りにある、請求項１０に記載の摺動式知育玩具。
【請求項１２】
内方に突出する第１の突起が、前記第１の案内面の２つの側壁にそれぞれ配置され、第２の突起が前記第２の部分の内側に配置され、前記第１の案内面の２つの側壁の前記第１の突起間で留められ；２つの端に位置付けられる前記少なくとも３つの第１のブロックのうちの２つが、対応する前記プッシュパッドの前記第２の突起に当接する、請求項１１に記載の摺動式知育玩具。
【請求項１３】
前記ハウジング内に固定され、前記可動パッドの外周を囲み、前記第１のブロック構造に対応する凹部を有するパッドカバーを更に備え；前記パッドカバーの内周は、前記可動パッドの回転角を制限することを意図する制限部分を有する、請求項１に記載の摺動式知育玩具。
【請求項１４】
前記第１のブロック構造は３つの第１のブロックを含み、前記第２のブロック構造は第２のブロックを含む、請求項１に記載の摺動式知育玩具。
【請求項１５】
前記第１のブロックに配置される前記第１の印は数字であり、３つの前記第１のブロック上の数字は連続的であり；前記第２のブロックに配置される前記第２の印は英字である、請求項１４に記載の摺動式知育玩具。
【請求項１６】
前記第１のブロック構造は５つの前記第１のブロックを含み、前記第２のブロック構造は、順に配置される３つの密に隣接する前記第２のブロックを含む、請求項１に記載の摺動式知育玩具。
【請求項１７】
前記第１のブロックに配置される前記第１の印は数字であり、５つの前記第１のブロック上の前記数字は連続的であり；前記第２のブロックに配置される前記第２の印は英字であり、３つの前記第２のブロック上の前記英字は連続的である、請求項１６に記載の摺動式知育玩具。
【請求項１８】
前記接続シャフト構造は、接続シャフト、及び、前記接続シャフトの一端に固定されるハンドルを備え、前記ハンドルの一端は前記ハウジングの一端から突き出し；留め位置が、前記接続シャフトの２つの端に設けられ、前記２つのプッシュパッドは、対応する前記留め位置にそれぞれスリーブ接続され、
前記接続シャフトの断面は三角形であり、前記可動パッドは、前記接続シャフトと協働する軸方向の三角形の貫通孔を有し、前記接続シャフトは、前記可動パッドが前記接続シャフト構造の回転に伴って回転できるように、前記三角形の貫通孔と協働し、
前記可動パッドの前記第２の案内面と前記可動パッドの前記第３の案内面との間に夾角が形成され、前記夾角の対称な中心線が前記三角形の貫通孔の角度のうちの１つの対称な中心線に一致する、請求項２に記載の摺動式知育玩具。
【請求項１９】
入れ替えのステップを自動的に完了することを意図し、第３の磁気ブロック及び第４の磁気ブロックを含む磁気的な回転補正システムを更に備える、請求項１３に記載の摺動式知育玩具。
【請求項２０】
前記第３の磁気ブロックは前記パッドカバーの中央に取り付けられ、前記第４の磁気ブロックは前記可動パッドの後面の２つの端に取り付けられる、請求項１９に記載の摺動式知育玩具。
【発明の詳細な説明】
【技術分野】
【０００１】
本発明は、玩具の技術分野に関し、特に摺動式知育玩具に関する。
【背景技術】
【０００２】
概して、摺動式知育玩具は、数字又は色のブロックの順序を乱し、次に、それらを最初の位置に整理し直すことによって遊ぶものである。基本的な操作方法は、ブロックを水平若しくは鉛直に移動させるか、又は、ブロックを入れ替えてブロックの位置を変えることである。既存の摺動式知育玩具のほとんどは、操作が複雑で自由度が低い、難易度が明確には規定されていない、及び、ゲーム原則が複雑であるといった不都合点を有し、ゲームプレー要件を満たすことができない。
【発明の概要】
【発明が解決しようとする課題】
【０００３】
本発明の目的は、先行技術の欠点を克服し、単純なゲーム原理を有し、明確な難易度が設定され、容易に操作できる摺動式知育玩具を提供することである。
【課題を解決するための手段】
【０００４】
本発明は、ハウジング、ハウジングの２つの内側端において固定される２つの固定パッド、２つの固定パッド間に位置付けられる可動パッド、２つの固定パッド及び可動パッドを通る接続シャフト構造、第１のブロック構造及び第２のブロック構造を備える、摺動式知育玩具を提供し；接続シャフト構造の一端は、ハウジングの一端から突き出し、ハウジングの軸方向に沿って移動でき、外力の作用下でハウジングの径方向に沿って回転し、可動パッドは、接続シャフト構造の回転に伴って回転でき；プッシュパッドが、固定パッドのそれぞれの側面に鉛直に配置され、接続シャフト構造にスリーブ接続されており、接続シャフト構造の移動に伴って対応する固定パッド上で移動でき；第１のブロック構造は、２つの固定パッド及び可動パッドの一方の側面に順に摺動可能に配置される少なくとも３つの密に隣接する第１のブロックを含み、少なくとも３つの第１のブロックは、２つの固定パッドのプッシュパッド間に挟まれ、２つの端にある２つの第１のブロックは、対応する固定パッドの側面にそれぞれ位置付けられ、残りの第１のブロックは、可動パッドの側面に位置付けられ；第２のブロック構造は、可動パッドの底部に摺動可能に配置される少なくとも１つの第２のブロックを含み；第１の印が少なくとも３つの第１のブロックにそれぞれ配置され、第２の印が少なくとも１つの第２のブロックに配置され；最大で２つのブロックを固定パッドのそれぞれに配置できる。
【０００５】
さらに、固定パッド及び可動パッドのそれぞれの側面には、ハウジングの軸方向に沿ってそれぞれ延在する第１の案内面及び第２の案内面があり、第１の案内面は第２の案内面に対応し、可動パッドの底部には、ハウジングの軸方向に沿って延在する第３の案内面があり；プッシュパッドは、接続シャフト構造の移動に伴って対応する固定パッド上で第１の案内面に沿って移動でき；少なくとも３つの第１のブロックは、２つの固定パッドの第１の案内面内及び可動パッドの第２の案内面内に摺動可能に配置され、２つの端にある２つの第１のブロックは、対応する固定パッドの第１の案内面内にそれぞれ位置付けられ、残りの第１のブロックは、可動パッドの第２の案内面内に位置付けられ、少なくとも１つの第２のブロックは、第３の案内面内に摺動可能に配置され；最大でも２つのブロックを、固定パッドのそれぞれの第１の案内面内に摺動可能に配置できる。
【０００６】
さらに、ハウジング上には、第１のブロック構造に対応する視認窓がある。
【０００７】
さらに、ハウジングは、一端が開口しているハウジング本体、ハウジング本体の開口端に接続されている端部カバー、及び、端部カバーにスリーブ接続されている端部カバーキャップを備え、ハウジング本体には、ハウジングの軸方向に沿って延在する切り欠き部があり、端部カバーキャップの一端は、切り欠き部に嵌め込まれて視認窓を形成する突出部分を有する。
【０００８】
さらに、２つの固定パッドは、ハウジング本体の２つの内側端にそれぞれ固定され、ハウジング本体の開口端内に位置付けられる固定パッドは端部カバーに当接し；ガスケットがハウジング本体の内側底部に配置され、ハウジング本体の内側底部に位置付けられる固定パッドはガスケットに当接する。
【０００９】
さらに、接続シャフト構造は、接続シャフト、及び、接続シャフトの一端に固定されるハンドルを備え、ハンドルの一端はハウジングの一端から突き出し；留め位置が、接続シャフトの２つの端に設けられ、２つのプッシュパッドは、対応する留め位置にそれぞれスリーブ接続されている。
【００１０】
さらに、接続シャフトの断面は三角形であり、可動パッドは、接続シャフトと協働する軸方向の三角形の貫通孔を有し、接続シャフトは、可動パッドが接続シャフト構造の回転に伴って回転できるように、三角形の貫通孔と協働する。
【００１１】
さらに、摺動式知育玩具は、接続シャフト構造を駆動して初期位置に自動的に戻す磁気的な自己位置合わせデバイスを更に備え；磁気的な自己位置合わせデバイスは第１の磁気ブロック及び第２の磁気ブロックを含み、第１の磁気ブロックはハウジングの端部カバー内に取り付けられ、第２の磁気ブロックは、接続シャフト構造のハンドル内に取り付けられ、接続シャフト構造の接続シャフトに隣接する。
【００１２】
さらに、第１の磁気ブロックは磁気ポールであり、第２の磁気ブロックは磁気ボールである。
【００１３】
さらに、固定パッドのそれぞれは軸方向の貫通孔を有し、接続シャフト構造は貫通孔内にスリーブ接続されている。
【００１４】
さらに、プッシュパッドのそれぞれは、接続部分、及び、接続部分の外周に形成される当接部分を含み、接続部分は接続シャフト構造にスリーブ接続されており、当接部分は、接続部分の外周に形成される第１の部分、及び、第１の部分の端に接続されている第２の部分を含み、固定パッドの上部は、貫通孔と連通する開口を有し、第１の部分は、開口から突き出し、第２の部分は、固定パッドの、第１の案内面に隣接する側の周りにある。
【００１５】
さらに、内方に突出する第１の突起が、第１の案内面の２つの側壁にそれぞれ配置され、第２の突起が第２の部分の内側に配置され、第１の案内面の２つの側壁の第１の突起間で留められ；２つの端に位置付けられる少なくとも３つの第１のブロックのうちの２つが、対応するプッシュパッドの第２の突起に当接する。
【００１６】
さらに、摺動式知育玩具は、ハウジング内に固定され、可動パッドの外周を囲み、第１のブロック構造に対応する凹部を有するパッドカバーを更に備え；パッドカバーの内周は、可動パッドの回転角を制限することを意図する制限部分を有する。
【００１７】
さらに、第１のブロック構造は３つの第１のブロックを含み、第２のブロック構造は第２のブロックを含む。
【００１８】
さらに、第１のブロックに配置される第１の印は数字であり、３つの第１のブロック上の数字は連続的であり；第２のブロックに配置される第２の印は英字である。
【００１９】
さらに、第１のブロック構造は５つの第１のブロックを含み、第２のブロック構造は、順に配置される３つの密に隣接する第２のブロックを含む。
【００２０】
さらに、第１のブロックに配置される第１の印は数字であり、５つの第１のブロック上の数字は連続的であり；第２のブロックに配置される第２の印は英字であり、３つの第２のブロック上の英字は連続的である。
【００２１】
さらに、可動パッドの第２の案内面と可動パッドの第３の案内面との間に夾角が形成され、夾角の対称な中心線が三角形の貫通孔の角度のうちの１つの対称な中心線に一致する。
【００２２】
さらに、摺動式知育玩具は、入れ替えのステップを自動的に完了することを意図し、第３の磁気ブロック及び第４の磁気ブロックを含む磁気的な回転補正システムを更に備える。
【００２３】
さらに、第３の磁気ブロックはパッドカバーの中央に取り付けられ、第４の磁気ブロックは可動パッドの後面の２つの端に取り付けられる。
【００２４】
本発明によって提供される知育玩具は、斬新な見た目、単純なゲーム原理及び簡明なゲームインタフェースを有し、簡単かつ柔軟に操作でき、明確な難易度を設定して、やりがいのあるものとなる。
【図面の簡単な説明】
【００２５】
【図１】本発明の第１の実施形態によって提供される摺動式知育玩具の構造概略図である。
【図２】図１に示されている摺動式知育玩具の分解概略図である。
【図３】ハウジング本体、端部カバーキャップ及びパッドカバーを取り外した後の、図１に示されている摺動式知育玩具の構造概略図である。
【図４】第２のブロック構造が表示されている状態の、図３に示されている摺動式知育玩具の構造概略図である。
【図５】図１に示されている摺動式知育玩具の固定パッドの構造概略図である。
【図６】図１に示されている摺動式知育玩具のプッシュパッドの構造概略図である。
【図７】図１に示されている摺動式知育玩具の可動パッドの構造概略図である。
【図８】図１に示されている摺動式知育玩具のパッドカバー及び可動パッドの構造概略図である。
【図９】本発明の第２の実施形態によって提供される摺動式知育玩具の第１のブロック構造の構造概略図である。
【図１０】本発明の別の実施形態における摺動式知育玩具の分解概略図である。
【図１１】図１０に示されている摺動式知育玩具のパッドカバーの後面の構造概略図である。
【図１２】図１０に示されている摺動式知育玩具のパッドカバーの後面の構造概略図である。
【図１３】図１０に示されている摺動式知育玩具の可動カバーの後面の構造概略図である。
【図１４】図１０に示されている摺動式知育玩具の可動カバーの後面の構造概略図である。
【発明を実施するための形態】
【００２６】
以下、添付の図面及び実施形態を参照して本発明を更に記載する。
【００２７】
実施形態１
図１〜図８を参照すると、本発明は、新規のタイプの摺動式知育玩具であり、棒付きアイスキャンディーの形状、必要性に従って設定可能な色、及び、斬新な見た目を有する、摺動式知育玩具を提供する。摺動式知育玩具は、円筒形のハウジング１０、ハウジング１０の２つの内側端において固定される２つの固定パッド２０、２つの固定パッド２０間に位置付けられる可動パッド４０、パッドカバー５０、磁気的な自己位置合わせデバイス７０、２つの固定パッド２０及び可動パッド４０を通る接続シャフト構造６０、第１のブロック構造８０並びに第２のブロック構造９０を備える。接続シャフト構造６０の一端は、ハウジング１０の一端から突き出し、ハウジング１０の軸方向に沿って移動し、外力の作用下でハウジング１０の径方向に沿って回転でき、可動パッド４０は、接続シャフト構造６０の回転に伴って回転できる。ハウジング１０上には、第１のブロック構造８０に対応する視認窓１４があり、これは、第１のブロック構造８０又は第２のブロック構造９０のブロックの位置を観察するために操作者にとって便利である。
【００２８】
ハウジング１０は、一端が開口しているハウジング本体１１、ハウジング本体１１の開口端に接続されている端部カバー１２、及び、端部カバー１２にスリーブ接続されている端部カバーキャップ１３を備える。ハウジング本体１１上には、ハウジング１０の軸方向に沿って延在する切り欠き部１１１があり、端部カバーキャップ１３の一端は突出部分１３１を有し、これは、切り欠き部１１１内に嵌め込まれ、前述した視認窓１４を形成する。好ましくは、端部カバーキャップ１３の外周面は、ハウジング本体１１の外周面と面一である。
【００２９】
端部カバー１２は、主に以下の構造によってハウジング本体１１に接続される：多くのほぞ穴部分１１２が、ハウジング本体１１の開口端の周方向に沿って均等に配置され、端部カバー１２の外周に留められ、ほぞ穴位置１２１が、端部カバー１２の外周面上で２つの隣接するほぞ穴部分１１２間に配置され、各ほぞ穴位置１２１、及び、ほぞ穴位置１２１に近い２つの隣接するほぞ穴部分１１２は、ほぞ穴片１５によってロックされ、それによって、端部カバー１２をハウジング本体１１に接続する。端部カバーキャップ１３が端部カバー１２にスリーブ接続されると、ほぞ穴片１５を、端部カバーキャップ１３内にクランプでき、コンパクトな構造を達成する。この実施形態では、６つのほぞ穴部分及び３つのほぞ穴位置があるため、３つのほぞ穴片もある。
【００３０】
２つの固定パッド２０は、ハウジング本体１１の２つの内側端にそれぞれ固定される。ハウジング本体１１の開口端内に位置付けられる固定パッド２０は、端部カバー１２に当接する。ガスケット１６がハウジング本体の内側底部に配置され、ハウジング本体１１の内側底部に位置付けられる固定パッドがガスケット１６に当接する。
【００３１】
接続シャフト構造６０は、接続シャフト６１及び円筒形のハンドル６２を備える。接続シャフト６１の一端には取り付け部分６１１が設けられ、ハンドル６２が、取り付け部分６１１に固定してスリーブ接続される。ハンドル６２の一端は、ハウジング１０の端部カバー１２の一端から突き出す。ハンドル６２が手でハウジング本体１１の内側底部に向かって押されると、接続シャフト６１は、２つの固定パッド２０内で移動し、可動パッド４０をハウジング本体１１の内側底部に向かって移動させることができる。ハンドル６２が手でハウジング本体１１の内側底部から離れる方向に引かれると、接続シャフト６１は、２つの固定パッド２０内で移動し、可動パッド４０をハウジング本体１１の内側底部から離れる方向に移動させることができる。ハンドル６２が手で回転されると、接続シャフト６１は、２つの固定パッド２０内で回転できる。上記の移動及び回転操作は簡単であり、２本の指で完了できる。好ましくは、接続シャフト６１の断面は三角形である。留め位置６１２が、接続シャフト６１の２つの端に設けられる。
【００３２】
固定パッド２０のそれぞれは、図５に示されているように軸方向の貫通孔２１を有する。接続シャフト６１は貫通孔２１にスリーブ接続される。固定パッドのそれぞれの側面には、ハウジング１０の軸方向に沿って延在する第１の案内面２３があり、プッシュパッド３０が、第１の案内面２３に隣接する側に鉛直に配置される。プッシュパッド３０は、接続シャフト６１の対応する留め位置６１２にスリーブ接続され、接続シャフト６１の移動に伴って、対応する固定パッド２０上で第１の案内面２３に沿って移動できる。より具体的には、図６に示されているように、プッシュパッド３０は、接続部分３１、及び、接続部分３１の外周に形成される当接部分３２を含む。接続部分３１は、接続シャフト６１の対応する留め位置６１２にスリーブ接続される、Ｕ字形のバヨネット３１１を有する。当接部分３２は、接続部分３１の外周に形成される第１の部分３２１、及び、第１の部分３２１の端に接続される弧状の第２の部分３２２を含み、固定パッド２０の上部は、貫通孔２１と連通する開口２２を有し（図５を参照のこと）、第１の部分３２１は開口２２から突き出し、第２の部分３２２は、固定パッド２０の、第１の案内面２３に隣接する側面の周りにある。
【００３３】
内方に突出する第１の突起２３１が、第１の案内面２３の２つの側壁にそれぞれ配置され、第２の突起３２３が、第２の部分３２２の内面に配置され、第１の案内面２３の２つの側壁上で第１の突起２３１間に留められるため、プッシュパッド３０は、接続シャフト６１の移動に伴って第１の案内面２３に沿って移動できる。第１の摺動留め位置２３２が、第１の案内面２３の２つの側壁上の第１の突起２３１と、第１の案内面２３の底部との間にそれぞれ形成される。２つのプッシュパッド３０の第２の突起３２３が対応する固定パッド２０の第１の案内面２３上で移動するとき、２つのプッシュパッド３０の第２の突起３２３は、ガスケット１６及び端部カバー１２によってそれぞれ制限され、それによって、プッシュパッド３０が第１の案内面２３から離脱することを防止する。
【００３４】
可動パッド４０は、図７に示されているように、接続シャフト６１と協働する軸方向の三角形の貫通孔４１を有するため、可動パッド４０は、接続シャフト６１の回転に伴って回転できる。三角形の貫通孔４１は好ましくは等辺三角形の貫通孔である。可動パッド４０の１つの側面には、ハウジング１０の軸方向に沿って延在する第２の案内面４２があり、第１の案内面２３は第２の案内面４２に対応する。内方に突出する第３の突起４２１が、第２の案内面４２の２つの側壁にそれぞれ配置され、第２の摺動留め位置４２２が、第３の突起４２１と第２の案内面４２の底部との間に形成される。可動パッド４０の底部には、ハウジング１０の軸方向に沿って延在する第３の案内面４３があり、第３の案内面４３と第２の案内面４２との間に鋭角が形成される。夾角の対象な中心線が、可動パッド４０の三角形の貫通孔４１の角度のうちの１つの対象な中心線に一致する。内方に突出する第４の突起４３１が、第３の案内面４３の２つの側壁にそれぞれ配置され、第３の摺動留め位置４３２が、第４の突起４３１と第３の案内面４３の底部との間に形成される。
【００３５】
第１のブロック構造８０は、第１の案内面２３及び第２の案内面４２内に順に摺動可能に配置される、少なくとも３つの密に隣接する第１のブロック８１を含む。第１の印８２が、少なくとも３つの第１のブロック８１に配置され、２つの端にある２つの第１のブロック８１は、対応する固定パッド２０の第１の案内面２３内にそれぞれ位置付けられ、対応するプッシュパッド３０の第２の突起３２３に当接し、残りの第１のブロック８１は、可動パッド４０の第２の案内面４２内に位置付けられる。最大で２つのブロックを、各固定パッド２０の第１の案内面２３内に摺動可能に配置できる。好ましくは、第１のブロック８１は、矩形の台８１２、及び、台８１２上の正方形の本体８１１を含む。台８１２の２つの側部が、本体８１１の２つの側部から突出する。第１のブロック構造８０の２つの端にある第１のブロック８１の台８１２の２つの側面は、対応する固定パッド２０の第１の摺動留め位置２３２にそれぞれ留められる。残りの第１のブロック８１の台８１２の２つの側面は、対応する可動パッド４０の第２の摺動留め位置４２２にそれぞれ留められる。
【００３６】
この実施形態の第１のブロック構造８０は、５つの第１のブロック８１を含む。５つの第１のブロック８１は、第１の案内面４２及び第２の案内面４３内に、整然と密に隣接して摺動可能に配置される。第１の印８２は、５つの第１のブロック８１にそれぞれ配置される。好ましくは、第１の印８２は数字であり、５つの第１のブロック８１上の数字は連続的であり、例えば、ハウジング本体１１の底部から端部カバー１２の方向に順に１、２、３、４及び５である。第１の印８２は、大文字の英字、小文字の英字、色等であってもよく、例えば大文字の英字はＡ、Ｂ、Ｃ、Ｄ及びＥであり、小文字の英字はａ、ｂ、ｃ、ｄ及びｅであり、色は赤、黄、青、緑及び紫であることを理解されよう。第１の印８２は、パターン及び記号等の他のものであってもよい。
【００３７】
５つの第１のブロック８１の中でも、２つの端にある２つの第１のブロック８１、すなわち、１及び５と印字される第１のブロック８１は、対応する固定パッド２０の第１の案内面２３内にそれぞれ位置付けられ、対応するプッシュパッド３０の第２の突起３２３に当接し、残りの３つの第１のブロック８１、すなわち、２、３及び４と印字される第１のブロック８１は、第２の案内面４２内に位置付けられる。固定パッド２０のそれぞれの第１の案内面２３は、２つのブロックを収容できる。ハンドル６２が手でハウジング本体１１の内側底部に向かって押されると、ハウジング本体１１の開口端に隣接するプッシュパッド３０は、接続シャフト６１の駆動下で、第１のブロック構造１０を押し、ハウジング本体１１の内側底部に向かって移動させる。ハウジング本体１１の内側底部に隣接するプッシュパッド３０がガスケット１６に当接すると、２つの第１のブロック８１、すなわち、１及び２と印字される第１のブロック８１が、ハウジング本体１１の内側底部に位置付けられる固定パッド２０の第１の案内面２３に受け入れられる。同様に、ハンドル６２がハウジング本体１１の内側底部から離れる方向に手で引かれると、ハウジング本体１１の内側底部に隣接するプッシュパッド３０が、接続シャフト６１の駆動下で、第１のブロック構造１０を押し、ハウジング本体１１の内側底部から離すように移動させる（すなわち、端部カバー１２に向かって移動させる）。ハウジング本体１１の開口端に隣接するプッシュパッド３０が端部カバー１２に当接すると、２つの第１のブロック８１、すなわち、４及び５と印字される第１のブロック８１が、ハウジング本体１１の開口端に位置付けられる固定パッド２０の第１の案内面２３内に受け入れられる。
【００３８】
第２のブロック構造９０は、第３の案内面４３内に摺動可能に配置される少なくとも１つの第２のブロック９１を含む。第２の印９２が少なくとも１つの第２のブロック９１に配置される。第２のブロック９１の数が１つよりも多い場合、第２のブロック９１は互いに順に密に隣接する。第２のブロック９１は、第１のブロック８１と構造的に同じであり、矩形の台、及び、台に配置される正方形の本体を含む。台の２つの側部は、本体の２つの側部からそれぞれ突出する。第２のブロック構造９０の第２のブロック９１の台の２つの側面は、可動パッド４０の第３の摺動留め位置４３２に留められる。
【００３９】
この実施形態の第２のブロック構造９０は、３つの第２のブロック９１を含む。３つの第２のブロック９１は、第３の案内面４３内に整然と密に隣接して摺動可能に配置される。第２の印９２が、３つの第２のブロック９１に配置される。好ましくは、第２の印９２は、大文字の英字であり、例えば、ハウジング本体１１の底部から端部カバー１２の方向に順にＡ、Ｂ及びＣである。第２の印９２は、数字、小文字の英字、色等であってもよく、例えば、数字は１、２及び３、小文字の英字はａ、ｂ及びｃ、色は赤、黄及び紫であることを理解されよう。第２の印９２は、第１の印８２及び第２の印９２が異なることが確実にされる限り、パターン及び記号等の他のものであってもよい。初期状態では、第１のブロック構造８０は視認窓１４に表示され、一方で第２のブロック構造９０は表示されない。第２のブロック構造９０が視認窓１４に表示される場合、すなわち、第１のブロック構造８０及び第２のブロック構造９０の位置が入れ替えられる場合、ハンドル６２を回転させる必要がある。可動パッド４０は接続シャフト６１の駆動下で回転する。第２のブロック構造９０が視認窓１４内に位置付けられると、可動パッド４０は回転を停止する。ここで、第２のブロック構造９０を視認窓１４に表示でき、第２のブロック構造９０の２つの端にある第２のブロック９１、すなわち、Ａ及びＣと印字される第２のブロック９１が、１及び５と印字される第１のブロック構造９０の第１のブロック９１にそれぞれ隣接する。第２のブロック構造９０が視認窓１４に表示されると、第２のブロック構造９０の第２のブロック９１を、第１のブロック構造８０を移動させる方法で移動させることができ、第２のブロック構造９０の第２のブロック９１と第１のブロック構造８０の第１のブロック８１との入れ替えを達成する。
【００４０】
パッドカバー５０はハウジング本体１１内に固定される。パッドカバー５０は、２つの固定パッド２０間に位置付けられ、可動パッド４０の外周の周りにあり、第１のブロック構造８０に対応する凹部５１を有し、それによって、第１のブロック構造８０を表示するとともに第２のブロック構造９０を隠す。パッドカバー５０の内周は、可動パッド４０の回転角を制限することが意図される制限部分５２を有する。より具体的には、図８に示されているように、第３の案内面４３の、夾角から離れた端、及び、第２の案内面４２の、夾角から離れた端は、固定ブロック４４を形成する。２つの固定ブロック４４間に空きが形成され、制限部分５２は、第３の案内面４３に隣接する固定ブロック４４に留められる。第２のブロック構造９０が視認窓１４に表示されることになった場合、可動パッド４０を反時計回りに回転させる必要があり、言い換えると、ハンドル６２が反時計回りに回転される。このとき、制限部分５２は、第２の案内面４２に隣接する固定ブロック４４に留められる。
【００４１】
磁気的な自己位置合わせデバイス７０は、外力が消失すると、接続シャフト構造６０を初期位置に自動的に戻すことが意図される。より具体的には、磁気的な自己位置合わせデバイス７０は、第１の磁気ブロック７１及び第２の磁気ブロック７２を含む。第１の磁気ブロック７１は、ハウジング１０の端部カバー１２内の取り付け位置１２２に取り付けられる。取り付け位置１２２は、端部カバー１２の内側底部の側面に位置付けられ、第２の磁気ブロック７２は、接続シャフト構造６０のハンドル６２内に、接続シャフト６１に隣接して取り付けられる。ハンドル６２を押すか、引くか又は回転させる過程で、手を離した後で、第１の磁気ブロック７１及び第２の磁気ブロック７２の磁力の作用下で、接続シャフト構造６０は初期位置に戻り、すなわち、全ての構造が初期位置に戻る。これは使いやすく、時間及びエネルギーを節減する。好ましくは、第１の磁気ブロック７１は磁気ポールであり、第２の磁気ブロック７２は磁気ボールである。第１の磁気ブロック７１及び第２の磁気ブロック７２が他の形状であってもよいことを理解されよう。
【００４２】
既存の摺動式知育玩具に対して、本発明のゲームプレー方法は、３つの明確に規定される難易度、すなわち：簡単、難しい及び極めて難しいという難易度を有し、それぞれ以下のように規定される。レベル１：英字を順に配置する；レベル２：数字を順に配置する；レベル３：英字及び数字を順に配置する。以下、レベル１を、本発明のプレー方法を説明するために例示する。簡単な説明のために、ハウジング本体１１の内側底部に位置付けられる固定パッド２０を左側の固定パッドとして規定し、ハウジング本体１１の開口端内に位置付けられる固定パッド２０を右側の固定パッドとして規定する。
【００４３】
Ａと印字される第２のブロック９１が、１と印字される第１のブロック８１の位置にあるものとする。ここで、プレーヤは、第２のブロック構造９０の３つの第２のブロック９１を順に配置する必要があり、すなわち、ハウジング本体１１の底部から端部カバー１２への方向への第２のブロック９１の印は、順にＡ、Ｂ及びＣである。
【００４４】
ステップ１：ハンドル６２を、ハウジング本体１１の内側底部から離れる方向に手で引く。４及び５と印字される第１のブロック８１が双方とも右側の固定パッドの第１の案内面２３内に位置付けられ、Ａと印字される第２のブロック９１並びに２及び３と印字される第１のブロック８１が可動パッド４０の第２の案内面４２内に位置付けられているときに、ハンドル６２を、第３の案内面４３内に位置付けられているブロックが視認窓１４に表示されるように回転させる。第３の案内面４３内のブロックは、順に、１と印字される第１のブロック８１、Ｂと印字される第２のブロック９１、及び、Ｃと印字される第２のブロック９１である。
【００４５】
ステップ２：ハンドル６２を、ハウジング本体１１の内側底部に向かって押す。１と印字される第１のブロック８１が左側の固定パッドの第１の案内面２３内に位置付けられ、Ｂと印字される第２のブロック９１、Ｃと印字される第２のブロック９１及び４と印字される第１のブロック８１が第３の案内面４３内に位置付けられているときに、ハンドル６２を、第２の案内面４２内に位置付けられているブロックが視認窓１４に表示されるように回転させる。第２の案内面４２内のブロックは、順に、Ａと印字される第２のブロック９１、２と印字される第１のブロック８１、及び、３と印字される第１のブロック８１である。
【００４６】
ステップ３：ハンドル６２を、１と印字される第１のブロック８１及びＡと印字される第２のブロック９１が左側の固定パッドの第１の案内面２３内に位置付けられるように、ハウジング本体１１の内側底部に向かって更に押す。次に、第３の案内面４３内のブロックが視認窓１４に表示されるように、ハンドル６２を回転させる。第３の案内面４３内のブロックは、順に、Ｂと印字される第２のブロック９１、Ｃと印字される第２のブロック９１及び４と印字される第１のブロック８１である。
【００４７】
ステップ４：ハンドル６２を、ハウジング本体１１の内側底部から引き離す。Ａと印字される第２のブロック９１が第３の案内面４３内に位置付けられているとき、第２の案内面４２内のブロックが視認窓１４に表示されるように、ハンドル６２を回転させる。第３の案内面４３内のブロックは、順に、Ａ、Ｂ及びＣと印字される第２のブロック９１である。手を離した後で、ブロックは、磁気的な自己位置合わせデバイス７０の作用下で初期位置に戻り、言い換えると、英字を順に配置するレベル１のゲームが完了する。レベル２及びレベル３のプレー方法は同様であり、ともに、ハンドル６２を押すこと、引くこと、回転させること及び離すことの操作によってブロックを反対の位置に入れ替えることであり、それによって、それぞれのレベルで要求されるゴールを達成する。
【００４８】
実施形態２
図９を参照すると、この実施形態は、実施形態１との以下のような違いを有する：第１のブロック構造８０は３つの第１のブロック８１を含む。３つの第１のブロック８１の第１の印８２は、ハウジング本体１１の底部から端部カバー１２への方向に順に１、２及び３である。第２のブロック構造９０（この図には示されていない）は第２のブロック９１を含む。この第２のブロック９１の第２の印９２はＡである。この構造はより少ないブロックを有し、プレー方法は、実施形態１に比して単純である。
【００４９】
１つのブロックが本発明の第１のブロック構造８０及び第２のブロック構造９０にそれぞれ追加されるときはいつでも、ゲームの難しさはおよそ２倍になる。言い換えると、ブロックが多いほど難しくなる。さらに、本発明の元の構造を変えることなく、ゲームの難しさを、ブロックを増やすか又は減らすことによって変えることができる。操作は自由度が高い。初期状態又はゲーム過程又は復元状態において、操作者は、視認窓１４内のブロックのみを見ている。ゲームインタフェースが簡略化される。
【００５０】
別の実施形態では、入れ替えるステップの実施の効率及び精度を上げるために、磁気的な回転補正システムを加えてもよい。図１０〜図１４に示されているように、磁気的な回転補正システムは、第３の磁気ブロック１０１及び第４の磁気ブロック１０３を備える。第３の磁気ブロック１０１は、パッドカバー５０の取り付け位置１０５に取り付けられ、第４の磁気ブロック１０３は、可動パッド４０の取り付け位置１０７に取り付けられる。取り付け位置１０５は、パッドカバー５０の中央に位置付けられ、取り付け位置１０７は、可動パッド４０の後面の２つの端に位置付けられる。第３の磁気ブロック１０１及び第４の磁気ブロック１０３は、寸法及び形状が取り付け位置１０５及び取り付け位置１０７に一致し、これらの間で安定して固着させることができる。ブロックが左側位置に押されるか又は右側位置に引かれる状態で、ハンドル６２が特定の範囲まで、例えば全回転範囲の半分を超えて手で回転されると、補正システムが停止動作を実施する。手を離した後で、第３の磁気ブロック１０１及び第４の磁気ブロック１０３の磁力の作用下で、可動パッド４０は、入れ替えるステップが完了するまで自動的に回転する。磁気的な回転補正システムは、手による迅速な操作中に起こりうる、回転の範囲が不完全である及び角度が不正確である問題を回避する。この設計に基づいて、入れ替えるステップは、単にハンドル６２を押すか、引くか又は離すことによって完了する。プレーヤは、玩具を簡単かつ効率的に操作でき、２つの手の位置及び姿勢を絶えず変える必要がない。２本の指のみを使用することによって、プレーヤは、位置合わせ及び入れ替えの２つのステップを同時に完了できる。好ましくは、第３の磁気ブロック１０１は磁気ポールであり、第４の磁気ブロック１０３は磁気ブロックであり、量は２つである。第３の磁気ブロック１０１及び第４の磁気ブロック１０３が他の形状又は量であってもよいことを理解されよう。
【００５１】
さらに、端部カバー１２の構造を、図１０に示されているように簡略化でき、端部カバー１２は、第１の磁気ブロック７１を配置するための取り付け位置１２２を含み、端部カバーキャップ１３の突出部分１３１がハウジング本体１１の切り欠き部１１１を通って切り欠き部１１１に嵌め込まれることを可能にするための切り欠き部１５０を更に含む。端部カバー１２は１つのみのほぞ穴位置１２１を有する。ほぞ穴位置１２１、及び、ほぞ穴位置１２１に隣接する２つのほぞ穴部分１１２は、ほぞ穴片１５によってロックされ、それによって、端部カバー１２をハウジング本体１１に接続する。
【００５２】
上述した実施形態は、本発明の好ましい実施形態を表すに過ぎない。それらの説明は、具体的で詳細であるが、それゆえに本発明の特許の範囲に対する限定として理解されるべきではない。当業者には、本発明の主旨から逸脱することなく、実施形態の異なる特徴の組み合わせ等、実施形態に種々の変更及び修正を加えることができることを留意されたい。これらは全て本発明の保護範囲内に入る。
【図１】
0006781846.tif 000002
【図２】
0006781846.tif 000003
【図３】
0006781846.tif 000004
【図４】
0006781846.tif 000005
【図５】
0006781846.tif 000006
【図６】
0006781846.tif 000007
【図７】
0006781846.tif 000008
【図８】
0006781846.tif 000009
【図９】
0006781846.tif 000010
【図１０】
0006781846.tif 000011
【図１１】
0006781846.tif 000012
【図１２】
0006781846.tif 000013
【図１３】
0006781846.tif 000014
【図１４】
0006781846.tif 000015